(57)【特許請求の範囲】
【請求項１】
上方の複数の天井梁で形成される天井用四角枠が下方の複数の床梁で形成される床用四角枠よりも小さく形成されるとともに、前記複数の床梁のうち第１の床梁の両端部に高さの異なる第１、２の柱が立設され、高い方の第１の柱の上端が前記複数の天井梁のうち第１の天井梁の一端に連結され、低い方の第２の柱の上端が第１の傾斜梁を介して前記第１の天井梁の他端に連結され、前記第１の床梁と平面視で対向する位置に配置されている第２の床梁の少なくとも一端が第２の傾斜梁で前記天井用四角枠の角部に連結され、前記第１の傾斜梁を含む第１の傾斜面と前記第２の傾斜梁を含む第２の傾斜面とが互いに異なる方向に異なる角度で傾斜して、第１の傾斜面の下端が第２の傾斜面の下端よりも上方位置に位置してはかま越しタイプの屋根を形成した
ことを特徴とする２方向異傾斜ユニット。
【請求項２】
請求項１に記載の２方向異傾斜ユニットにおいて、前記天井用四角枠および床用四角枠は平面長方形とされ、前記床用四角枠はユニット式建物を構成する直方体状の建物ユニットの平面大きさと等しいことを特徴とする２方向異傾斜ユニット。
【請求項３】
請求項２に記載の２方向異傾斜ユニットにおいて、前記第１の床梁は前記床用四角枠の長辺梁であり、前記第２の柱の上端には、前記第１の傾斜梁が設けられるとともに、平面視で床用四角枠の短辺梁の１本と重なる水平補強梁が設けられ、この水平補強梁の端部と前記床用四角枠の１つの端部とは前記第２の傾斜梁と同一傾斜の補強傾斜梁で連結されていることを特徴とする２方向異傾斜ユニット。
【請求項４】
請求項２に記載の２方向異傾斜ユニットにおいて、前記第１の床梁は前記床用四角枠の短辺梁であり、前記第２の柱の上端には、前記第１の傾斜梁が設けられるとともに、平面視で床用四角枠の長辺梁の１本と重なる水平補強梁が設けられ、この水平補強梁の端部と前記床用四角枠の１つの端部とは前記第２の傾斜梁と同一傾斜の補強傾斜梁で連結されていることを特徴とする２方向異傾斜ユニット。
【請求項５】
請求項３に記載の２方向異傾斜ユニットを使用して建てられるユニット式建物であって、予め工場で生産された複数の直方体状の建物ユニットの上に小屋裏居室用ユニットおよび前記２方向異傾斜ユニットを載せて構成されていることを特徴とするユニット式建物。
【請求項６】
請求項４に記載の２方向異傾斜ユニットを使用して建てられるユニット式建物であって、予め工場で生産された複数の直方体状の建物ユニットの上に前記２方向異傾斜ユニットを載せて構成されていることを特徴とするユニット式建物。
【発明の詳細な説明】
【０００１】
【発明の属する技術分野】
本発明は、側面２方向が異なる傾斜面となった２方向異傾斜ユニットおよびこの２方向異傾斜ユニットを使用したユニット式建物に関する。
【０００２】
【背景技術】
建物において、その屋根内部を小屋裏居室として使用すれば、高さ制限および斜線制限に抵触せずに広い居室面積を有する建物を構築することができる。
図９に示すように、例えば、小屋裏居室を備えたユニット式建物１は、予め工場で生産される複数の下階建物ユニット２、これらの下階建物ユニット２の上に載置される上階建物ユニット３、および上階建物ユニット３の上に載置される小屋裏居室用ユニット１２、楔形状の三角屋根ユニット１３等を現場で組み合わせることにより建てられており、小屋裏居室用ユニット１２、楔形状の三角屋根ユニット１３には屋根パネル１９等が取り付けられ、建物の屋根４が形成されている。
【０００３】
これらの建物ユニット２、３は、図１０に示すように、四隅に立設される４本の柱５と、これらの柱５の上端間同士および下端間同士を結合する各４本の天井梁６、床梁７を有する骨組み８を備え、このような骨組みに、天井面材９や床面材１０、内壁や外壁等を取り付け、ほぼ箱形状に形成されている。
また、小屋裏居室用ユニット１２は、高さ寸法が所定寸法低いのみで上階建物ユニット３等とほぼ同様の構造であり、三角屋根ユニットは、４本の床梁１７で形成された四角枠を備えている。この四角枠の４本の床梁のうち１本の床梁両端には２本の柱１５が立設され、これらの柱１５の上端同士は１本の天井梁で連結されている。さらに、２本の柱１５の上端と上記１本の床梁と対向する床梁の両端とは傾斜梁１８で連結され全体楔形状となっている。
【０００４】
【発明が解決しようとする課題】
しかし、前記従来のユニット式建物１では、屋根が三角屋根ユニット１３に屋根パネル１９等を取り付けることにより形成されており、この三角屋根ユニット１３は傾斜等形状が一定化しているので、軒側の高さが低くなっている上、三角屋根ユニット１３の柱１５と１本の天井梁とで形成される垂直面にはブレースが張られるためこのブレースが邪魔となり、居室としては充分に活用できない。そのため、小屋裏居室の内部空間をより広くしたいとき、あるいは屋根勾配を変えたいとき等、柔軟に対応することができないという問題がある。
また、このような三角屋根ユニット１３を使用したユニット式建物１では、建物の屋根は切妻屋根のみとなり、変化に富んだ屋根形状を構成することができない。さらに、三角屋根ユニット１３を使用しており、建物の妻側面以外に垂直面がないので、壁面に開口した窓を設けることが困難となり、小屋裏居室内の通風、採光等を充分に得られないという問題もある。
【０００５】
本発明の目的は、ユニット式建物に使用することにより、小屋裏居室の内部空間を拡大できるとともに、建物の屋根の形状を変化に富んだものとすることができるようになる２方向異傾斜ユニットを提供することにある。
【０００６】
また、本発明の他の目的は、小屋裏居室の内部空間を拡大できるとともに、屋根の形状を変化に富んだものとすることができるようになるユニット式建物を提供することにある。
【０００７】
【課題を解決するための手段】
本発明の請求項１に係る２方向異傾斜ユニット２３は、図面を参照して説明すると、図２に示すように、上方の複数の天井梁２４、２５で形成される天井用四角枠２６が下方の複数の床梁２７、２８で形成される床用四角枠２９よりも小さく形成されるとともに、複数の床梁２７、２８のうち第１の床梁２７Ａの両端部に高さの異なる第１、２の柱３５、３６が立設され、高い方の第１の柱３５の上端が複数の天井梁２４、２５のうち第１の天井梁２４Ａの一端に連結され、低い方の第２の柱３６の上端が第１の傾斜梁３７Ａを介して第１の天井梁２４Ａの他端に連結され、第１の床梁２７Ａと平面視で対向する位置に配置されている第２の床梁２７Ｂの少なくとも一端が第２の傾斜梁３７Ｂで天井用四角枠２６の角部に連結され、第１の傾斜梁３７Ａを含む第１の傾斜面Ｓ１と第２の傾斜梁３７Ｂを含む第２の傾斜面Ｓ２とが互いに異なる方向に異なる角度で傾斜して、第１の傾斜面Ｓ１の下端が第２の傾斜面Ｓ２の下端よりも上方位置に位置してはかま越し（半切妻）タイプの屋根を形成したことを特徴とするものである。
【０００８】
以上において、天井用四角枠および床用四角枠は正方形であると長方形であるとを問わない。この場合、両四角枠を例えば両方とも長方形の同一形状としてもよく、あるいは異なる形状としてもよい。また、両四角枠の大きさは任意であるが、床用四角枠の大きさはユニット式建物を構成する直方体状の建物ユニットの平面大きさと等しいことが好ましい。
【０００９】
このような本発明では、２方向異傾斜ユニットは天井用四角枠を有しているのでこの２方向傾斜ユニットをユニット式建物に使用すれば、天井用四角枠の部分の室内高さが小屋裏居室用ユニットと同じ高さとなり、これにより、小屋裏居室の内部空間を拡大できる。また、２方向異傾斜ユニットはその２側面が異なる傾斜の傾斜面を有しているので、それぞれの側面に屋根パネル等を取り付けることにより、はかま越し（半切妻）タイプの屋根を形成することができ、屋根の形状を変化に富んだものとすることができる。
【００１０】
本発明の請求項２に係る２方向異傾斜ユニットは、図２に示すように、請求項１に記載の２方向傾斜ユニットにおいて、天井用四角枠２６および床用四角枠２９を平面長方形とし、床用四角枠２９をユニット式建物を構成する直方体状の建物ユニット２、３の平面大きさと等しくしたことを特徴とするものである。
このような本発明では、２方向傾斜ユニットの床用四角枠を直方体状の建物ユニットの上に載せて接合すればよいので、作業が容易となり、ユニット式建物の工期の短縮につなげることができる。
【００１１】
本発明の請求項３に係る２方向異傾斜ユニットは、図２に示すように、請求項２に記載の２方向異傾斜ユニットの第１の床梁を床用四角枠２９の長辺梁２７Ａとし、第２の柱３６の上端に、第１の傾斜梁３７Ａを設けるとともに、平面視で床用四角枠２９の短辺梁の１本２８Ｂと重なる水平補強梁３８を設け、この水平補強梁３８の端部と床用四角枠２９の１つの端部とを第２の傾斜梁３７Ｂと同一傾斜の補強傾斜梁３７Ｃで連結したことを特徴とするものである。
【００１２】
本発明の請求項４に係る２方向異傾斜ユニットは、図６に示すように、請求項２に記載の２方向異傾斜ユニットの第１の床梁を床用四角枠２９の短辺梁２８Ａとし、第２の柱３６の上端に、第１の傾斜梁を設けるとともに、平面視で床用四角枠２９の長辺梁の１本２７Ｂと重なる水平補強梁を設け、この水平補強梁の端部と床用四角枠２９の１つの端部とを第２の傾斜梁と同一傾斜の補強傾斜梁で連結したことを特徴とするものである。
このような本発明では、２方向傾斜ユニットに、１本の傾斜した梁と平行かつ同一傾斜の補強傾斜梁が設けられているので、この傾斜した梁および補強傾斜梁とで支持させて屋根パネルを取り付けることができ、これにより、安定した屋根パネルの取り付けが可能となる。
【００１３】
本発明の請求項５に係るユニット式建物は、図１に示すように、請求項３に記載の２方向異傾斜ユニットを使用して建てられるユニット式建物であって、予め工場で生産された複数の直方体状の建物ユニット３の上に小屋裏居室用ユニット１２’および２方向異傾斜ユニット２３を載せて構成したことを特徴とするものである。
以上において、ユニット式建物は、小屋裏を含めて３階建てであることが好ましいが、２階建てであってもよい。
このような本発明では、ユニット式建物の小屋裏が側面２方向に異なる傾斜の傾斜面を有する２方向異傾斜ユニットと小屋裏建物ユニットとで構成され、２方向異傾斜ユニット２３には異なる傾斜の屋根パネル２２Ａ、２２Ｂを取り付けることができるので、はかま越し（半切妻）タイプの屋根を形成でき、これにより、小屋裏居室の内部空間を拡大できるとともに、屋根の形状を変化に富んだものとすることができる。
【００１４】
本発明の請求項６に係るユニット式建物は、図５に示すように、請求項４に記載の２方向異傾斜ユニットを使用して建てられるユニット式建物であって、予め工場で生産された複数の直方体状の建物ユニット３の上に２方向異傾斜ユニット５３を載せて構成されていることを特徴とするものである。
以上において、ユニット式建物は、小屋裏を含めて３階建てであることが好ましいが、２階建てであってもよい。
このような本発明では、ユニット式建物の小屋裏が２方向異傾斜ユニット５３で構成され、２方向異傾斜ユニット５３には異なる傾斜の屋根パネル２２Ａ、２２Ｂが取り付けられ、はかま越し（半切妻）タイプの屋根を形成できるので、小屋裏居室の内部空間を拡大できるとともに、屋根の形状を変化に富んだものとすることができる。
【００１５】
【発明の実施の形態】
以下に、図１〜３に基づいて本発明の第１実施形態を説明する。
なお、この実施形態において、前記従来例と同様の構造、同一部材には、同一符号を付すとともにその詳細な説明は省略または簡略化する。
図１に示すように、ユニット式建物１１は前記上階建物ユニット３等を備え、この上階建物ユニット３の上には、前記小屋裏居室用ユニット１２とほぼ同様の構造の小屋裏居室用ユニット１２Ａおよびこのユニット１２Ａに隣接させて２方向異傾斜ユニット２３等を組み合わせることにより建てられ、２方向異傾斜ユニット２３等には屋根パネル２２Ａ、２２Ｂが取り付けられてはかま越し（半切妻）タイプの屋根４’が形成されている。
【００１６】
図２に示すように、第１実施形態の２方向異傾斜ユニット２３は、上方かつ水平方向に対向配置される第１、２の長辺天井梁２４Ａ、２４Ｂでなる長辺天井梁２４と、この長辺天井梁２４の両端同士を連結する第１、２の短辺天井梁２５Ａ、２５Ｂでなる短辺天井梁２５とで形成される天井用四角枠２６を備える。
また、この天井用四角枠２６の下方には、水平方向に対向配置される第１、２の長辺床梁２７Ａ、２７Ｂでなる長辺床梁２７と、この長辺床梁２４の両端同士を連結する第１、２の短辺天井梁２８Ａ、２８Ｂでなる短辺床梁２８とで形成される床用四角枠２９が配置されている。
【００１７】
床用四角枠２９の大きさは天井用四角枠２６の大きさよりも大きく、かつ、上階建物ユニット３等の平面大きさとほぼ等しい大きさに形成されている。
すなわち、長辺天井梁２４より長辺床梁２７の長さ寸法が長く、短辺天井梁２５より短辺床梁２８の長さ寸法が長く形成されている。そして、第１長辺天井梁２４Ａおよび第１短辺天井梁２５Ａと、第１長辺床梁２７Ａおよび第１短辺床梁２８Ａとはそれぞれ同一垂直面に位置している。
このような天井用四角枠２６と床用四角枠２９とは、高さの異なる垂直な２本の柱３５、３６と、第１、２の傾斜梁３７Ａ、３７Ｂとで連結されている。
床用四角枠２９を構成する第１の長辺床梁２７Ａの一端には高さの高い第１の柱３５が立設され、長辺床梁２７Ａの他端には高さの低い第２の柱３６が立設されている。
【００１８】
従って、第１の柱３５により天井用四角枠２６の１つの角部と床用四角枠２９の１つの角部とが連結され、天井用四角枠２６の長辺方向隣の角部と床用四角枠２９の長辺方向隣の角部とは、第２の柱３６の上端と天井用四角枠２６の当該角部とに架けわたされた第１の傾斜梁３７Ａにより連結されている。また、柱３５のある角部と天井用四角枠２６の短辺方向隣にある角部と、柱３５の下端から床用四角枠２９の長辺方向隣の角部とは、第２の傾斜梁３７Ｂにより連結されている。
【００１９】
第１の柱３５の上端には、上記第１の傾斜梁３７Ａの他に、平面視で床用四角枠２９の第２の短辺床梁２８Ｂと重なり、かつ、天井用四角枠２６の第２の短辺天井梁２５Ｂと同一長さ寸法の水平補強梁３８が設けられ、この水平補強梁３８の端部と床用四角枠２９の第２の短辺床梁２８Ｂの端部とは、第２の傾斜梁３７Ｂと同一傾斜の補強傾斜梁３７Ｃで連結されている。
このように、２方向傾斜ユニット２３の側面には、第２の傾斜梁３７Ｂ、第２の長辺天井梁２４Ｂ、補強傾斜梁３７Ｃおよび第２の長辺床梁２７Ｂで形成される第１の傾斜面Ｓ１と、第１の傾斜梁３７Ａ、第２の短辺天井梁２５Ｂおよび水平補強梁３８で形成される第２の傾斜面Ｓ２との異なる傾斜の２つの側面が形成されていることになる。そして、第１の傾斜面Ｓ１に屋根パネル２２Ａが取り付けられ、第２の傾斜面Ｓ２に屋根パネル２２Ｂが取り付けられている。従って、この屋根パネル２２Ｂの下端は屋根パネル２２Ａの下端より上方位置に位置し、いわゆるはかま越し（半切り妻）タイプの屋根が形成されることになる。
【００２０】
このようなユニット式建物１１において、小屋裏建物ユニット１２Ａは、図３に示すように、前記小屋裏建物ユニット１２の短辺部に傾斜面を形成したと同様の形状となっている。
すなわち、小屋裏建物ユニット１２Ａは、上下に対向配置される天井用四角枠４６および床用四角枠４９を備え、両四角枠４６、４９は、長辺寸法のみが異なるものとなっている。また、両四角枠４６、４９の２つの角部には当該四角枠４６、４９を連結する柱４５が立設され、残りの２つの角部間は、床用四角枠４９の角部に立設された２本の柱４６と、この柱４６の上端から天井用四角枠４６の当該角部に向けて架けわたされた傾斜梁４８とで連結されている。そして、この傾斜梁４８の傾斜は前記２方向異傾斜ユニット２３の第１の傾斜梁３７Ａの傾斜と同一となっている。
【００２１】
ここで、第２の長辺天井梁２４Ｂから床用下枠２９に向けて外壁３１を設け、この外壁３１に窓等を取り付ければ、小屋裏居室の開口部となって採光や通風が良好となり、また、天井用四角枠４６と床用四角枠４９との広さの差の分をバルコニＢとすることもできる。
【００２２】
このような本実施形態によれば、次のような効果がある。
▲１▼２方向異傾斜ユニット２３は天井用四角枠２６を有しているので、この２方向傾斜ユニット２３をユニット式建物１１に使用すれば、天井用四角枠２６の分だけ小屋裏居室用ユニット１２Ａに続く高さの室内を確保でき、これにより、小屋裏居室の内部空間を拡大できる。
▲２▼２方向異傾斜ユニット２３はその２側面が異なる傾斜の傾斜面となっているので、それぞれの側面に屋根パネル２２Ａ、２２Ｂを取り付けることにより、はかま越しタイプの屋根４’を形成することができ、建物の屋根４’の形状を変化に富んだものとすることができる。
【００２３】
▲３▼２方向異傾斜ユニット２３の天井用四角枠２６と床用四角枠２９とは、長さおよび幅寸法がことなり、その差の分だけバルコニＢとすることができるので、天井用四角枠２６に外壁３１等の壁体を設け、この壁体に窓を取り付けることにより、バルコニＢに臨む開口とすることができる。従って、小屋裏居室の採光、通風を充分に得ることができる。
▲４▼２方向異傾斜ユニット２３に第２の柱３６に固定させて水平補強梁３８を設け、この水平補強梁３８に補強傾斜梁３７Ｃが設けられているので、これらで屋根パネル２２Ａ、２２Ｂを支持することができ、屋根パネル２２Ａ、２２Ｂの取り付け作業が容易となる。
【００２４】
▲５▼ユニット式建物１１は、はかま越しタイプの屋根４’を備えているので、変化に富んだ外形の建物となり、また、小屋裏用のバルコニＢを形成した場合、小屋裏居室内の通風、採光を充分に得られるようになるとともに、一層変化に富んだ外形の建物となる。
▲６▼２方向異傾斜ユニット２３の床用四角枠２９と直方体状の建物ユニット３との平面大きさはほぼ等しいので、２方向異傾斜ユニット２３を建物ユニット３上に載せて接合すれば組み合わせることができ、これにより、作業が容易となり、ユニット式建物の工期の短縮につなげることができる。
【００２５】
図４には本発明の第２の実施形態の２方向異傾斜ユニット４３が示されており、本実施形態では、前記第１実施形態の２方向異傾斜ユニット２３が、天井用四角枠２６と床用四角枠２９とを第１、２の柱３５、３６と第１、２の傾斜梁３７Ａ、３７Ｂとで連結したものを、傾斜梁３７Ａと平行な傾斜梁および第２の傾斜梁３７Ｂを有する構造としたものである。そして、このような２方向異傾斜ユニット４３を使用して前記ユニット式建物１１を構成することができる。
なお、この実施形態および以後の各実施形態において前記第１実施形態と同一構造および同一部材には、同一符号を付すとともに、その詳細な説明は省略または簡略化し、異なる部分のみを説明する。
【００２６】
本実施形態の２方向異傾斜ユニット４３では、第２の短辺床梁２８Ｂの長さ方向途中に、第２の柱３６と同一仕様の補強柱３６’が立設されている。これらの柱３６、３６’５の上端同士は中間短辺梁３９で連結されており、この中間短辺梁３９は第２の短辺天井梁２５Ｂと同一長さ寸法となっている。また、補強柱３６’の上端と天井用四角枠２６の１つの角部（天井用四角枠２６において柱３５の対角線上の角部）とは、第１の傾斜梁３７Ａと平行かつ同一傾斜の第１の補強傾斜梁３７Ａ’で連結されている。
一方、上記１つの角部から、床用四角枠２９の第２の長辺床梁２７Ｂに向けて、第２の傾斜梁３７Ｂと平行かつ同一傾斜の第２の補強傾斜梁３７Ｂ’が設けられている。
そして、このような本実施形態においても前記第１実施形態の▲１▼〜▲６▼と同様の作用、効果を得ることができる。
【００２７】
図５には、本発明の以下に述べる第３および第４の２方向異傾斜ユニット５３、６３を使用して建てられたユニット式建物５１が示されている。この図において、前記実施形態のユニット式建物１、１１と同一構造および同一部材には同一符号を付すとともに、それらの詳細な説明は省略または簡略化する。
このユニット式建物５３を構成する２方向異傾斜ユニット５３は、図６に示すように、前記第１、２実施形態の２方向異傾斜ユニット２３、４３が一方の長辺側に急勾配の傾斜面Ｓ１、一方の短辺側に緩勾配の傾斜面Ｓ２をそれぞれ形成したものを、これを逆にして、つまり、一方の長辺側に緩勾配の傾斜面Ｓ２、一方の短辺側に急勾配の傾斜面Ｓ１をそれぞれ形成したものである。
【００２８】
すなわち、第３実施形態の２方向異傾斜ユニット５３は、第２の柱３６が第１の短辺床梁２８Ａの端部に立設されている。この柱３６の上端と天井用四角枠２６の短辺方向に隣の角部とが第１の傾斜梁５７Ａで連結されている。また、天井用四角枠２６において第１の柱３５の長辺方向隣の角部と、床用四角枠２９の同一方向の角部とは、第２の傾斜梁５７Ｂで連結されている。第２の柱３６の上端には、平面で第２の長辺床梁２７Ｂと重なり、かつ、上下に平行な水平補強梁５８が設けられ、この水平補強梁５８の端部と床用四角枠２９の１つの端部とは上記第２の傾斜梁５７Ｂと平行かつ同一傾斜の補強傾斜梁５７Ｃで連結されている。
【００２９】
従って、第２の傾斜梁５７Ｂ、補強傾斜梁５７Ｃ、第２の短辺天井梁２５Ｂおよび第２の短辺床梁２８Ｂで急勾配の傾斜面Ｓ１が形成され、第２の長辺天井梁２４Ｂ、第１の傾斜梁５７Ａおよび水平補強梁５８で緩勾配の傾斜面Ｓ２が形成されるようになっている。
ここで、第２の短辺天井梁２５Ｂから床用下枠２９に向けて外壁３１’を設け、この外壁３１’に窓等を取り付ければ、小屋裏居室の開口部となって採光や通風が良好となり、また、天井用四角枠４６と床用四角枠４９との広さの差の分をバルコニＢとすることもできる。
そして、このような本実施形態においても前記第１実施形態の▲１▼〜▲６▼と同様の作用、効果を得ることができる。
【００３０】
第４実施形態の２方向異傾斜ユニット６３は、図７に示すように、第２の長辺床梁２７Ｂの長さ方向途中に、第２の柱３６と同一仕様の補強柱３６’が立設されている。これらの柱３６、３６’の上端同士は中間長辺梁６８で連結されており、この中間長辺梁６８は第２の長辺天井梁２４Ｂと同一長さ寸法となっている。また、補強柱３６’の上端と天井用四角枠２６の１つの角部とは、第１の傾斜梁５７Ａと平行かつ同一傾斜の第２の補強傾斜梁５７Ｄで連結されている。
一方、上記１つの角部から、床用四角枠２９の第２の短辺床梁２８Ｂに向けて、第２の傾斜梁５７Ｂと平行かつ同一傾斜の第１の補強傾斜梁５７Ｅが設けられている。
そして、このような本実施形態においても前記第１実施形態の▲１▼〜▲６▼と同様の作用、効果を得ることができる。
【００３１】
なお、本発明は、前記各実施形態に限定されるものではなく、本発明の目的を達成できるものであれば、次に示すような変形形態でもよいものである。
すなわち、前記第１実施形態の２方向異傾斜ユニット２３では、第１の傾斜梁３７Ａで天井用四角枠２６の１つの角部と補強柱３６とを連結し、第２の傾斜梁３７Ｂで天井用四角枠２６の１つの角部と床用四角枠２９の１つの角部とを連結したが、図８に示すような構造の２方向異傾斜ユニット７３としてもよい。この場合、第２の傾斜梁３７Ｂと平行かつ同一傾斜の第３傾斜梁３７Ｂ’で、天井用四角枠２６の柱３５の対角線上の角部と第２長辺床梁２７Ｂとを連結し、天井用四角枠２６および床用四角枠２９のすべての角部同士を柱３５、３６または梁３７Ａ、３７Ｂ、３７Ｂ’で連結したものである。
そして、このような実施形態においても前記第１実施形態の▲１▼〜▲６▼と同様の効果を得ることができる他、屋根パネル２２Ａを第２、３傾斜梁３７Ｂ、３７Ｂ’および補強傾斜梁３７Ｃで支持できるので、屋根パネル２２Ａの取り付けが容易であるという効果がある。
【００３２】
また、前記第１実施形態の２方向異傾斜ユニット２３において、第２短辺天井梁２５Ｂの一端と水平中間梁３８の端部とを連結梁で連結してもよく、あるいは、第２短辺天井梁２５Ｂの一端の角部に床用四角枠２９に向けて補強柱を立設して天井用四角枠２６と床用四角枠２９とを連結してもよい。
【００３３】
さらに、前記第４実施形態の２方向異傾斜ユニット５３では、第２の傾斜梁５７Ｂで天井用四角枠２６の１つの角部と床用四角枠２９の１つの角部とを連結し、天井用四角枠２６の他の１つの角部と補強柱３６とを第１の傾斜梁３７ＡＢで連結したが、図８の変形形態の各勾配の方向を逆にして、ちまり、第２の傾斜梁３７Ｂと平行かつ同一傾斜の第３傾斜梁で天井用四角枠２６の柱３５の対角線上の角部と第２短辺床梁とを連結し、天井用四角枠２６および床用四角枠２９のすべての角部同士を柱または梁で連結した２方向異傾斜ユニットとしてもよい。
そして、このような実施形態においても前記第１実施形態の▲１▼〜▲６▼と同様の効果を得ることができる他、屋根パネル２２Ａを第２、３傾斜梁および補強傾斜梁で支持できるので、屋根パネル２２Ａの取り付けが容易であるという効果がある。
【００３４】
また、前記第３実施形態の２方向異傾斜ユニット５３において、第２短辺天井梁２５Ｂの一端と水平中間梁５８の端部とを連結梁で連結してもよく、あるいは、第２短辺天井梁２５Ｂの一端の角部に床用四角枠２９に向けて垂直な補強柱を立設して天井用四角枠２６と床用四角枠２９とを連結してもよい。
【００３５】
【発明の効果】
以上に説明したように、本発明の２方向異傾斜ユニットによれば、２方向異傾斜ユニットは天井用四角枠を有しているのでこの２方向傾斜ユニットをユニット式建物に使用すれば、天井用四角枠の部分の室内高さが小屋裏居室用ユニットと同じ高さとなり、これにより、小屋裏居室の内部空間を拡大できる。また、２方向異傾斜ユニットはその２側面が異なる傾斜の傾斜面を有しているので、それぞれの側面に屋根パネル等を取り付けることにより、はかま越し（半切妻）タイプの屋根を形成することができ、屋根の形状を変化に富んだものとすることができる。
【００３６】
また、本発明のユニット式建物では、ユニット式建物の小屋裏が側面２方向に異なる傾斜の傾斜面を有する２方向異傾斜ユニットと小屋裏建物ユニットとで構成され、２方向異傾斜ユニットには異なる傾斜の屋根を取り付けることができるので、はかま越し（半切妻）タイプの屋根を形成でき、これにより、小屋裏居室の内部空間を拡大できるとともに、屋根の形状を変化に富んだものとすることができる。
【図面の簡単な説明】
【図１】本発明の第１実施形態に係るユニット式建物を示す全体斜視図である。
【図２】本発明の第１実施形態の２方向傾斜ユニットを示す全体斜視図である。
【図３】本発明の第１実施形態のユニット式建物を構成する小屋裏居室用ユニットを示す全体斜視図である。
【図４】本発明の第２実施形態の２方向傾斜ユニットを示す全体斜視図である。
【図５】本発明の第２実施形態に係るユニット式建物を示す全体斜視図である。
【図６】本発明の第３実施形態の２方向傾斜ユニットを示す全体斜視図である。
【図７】本発明の第４実施形態の２方向傾斜ユニットを示す全体斜視図である。
【図８】本発明の変形形態に係る２方向傾斜ユニットを示す全体斜視図である。
【図９】本発明の従来のユニット式建物を示す全体図である。
【図１０】ユニット式建物を構成する一般的な建物ユニットを示す全体斜視図である。
【符号の説明】
２  下階建物ユニット
３  上階建物ユニット
４’  屋根
１１  ユニット式建物
１２Ａ  小屋裏居室ユニット
２３、４３、５３、６３  ２方向異傾斜ユニット
２４  長辺天井梁
２５  短辺天井梁
２６  天井用四角枠
２７  長辺床梁
２８  短辺床梁
２９  床用四角枠
３５  第１の柱
３６  第２の柱
３７Ａ  第１の傾斜梁
３７Ｂ  第２の傾斜梁
５１  ユニット式建物
Ｂ  バルコニ
【図１】
0003871413.tif 000002
【図２】
0003871413.tif 000003
【図３】
0003871413.tif 000004
【図４】
0003871413.tif 000005
【図５】
0003871413.tif 000006
【図６】
0003871413.tif 000007
【図７】
0003871413.tif 000008
【図８】
0003871413.tif 000009
【図９】
0003871413.tif 000010
【図１０】
0003871413.tif 000011